(57)【要約】  ディヒューザカートリッジおよび液体容器と共に使用するようになされ、液体容器へおよび液体容器からのディヒューザカートリッジの挿入および除去を容易にするようになされたツール。ディヒューザカートリッジは、ミネラル剤ビーズまたは容器内に包含される液体の質を向上可能な他の素材を包含する。【選択図】図８
2019507026.tif 000002
【特許請求の範囲】
【請求項１】
ディヒューザカートリッジを補完する形状で、前記ディヒューザカートリッジと選択的に係合可能であるようになされた第１の端部と、
下部区画コネクタを持つ第２の端部と、を有する
下部区画と、
前記下部区画から分離し、
前記下部区画コネクタと係合するようになされた第１の中間コネクタと、
第２の中間コネクタと、を有する
中間区画と、
前記下部区画および前記中間区画から分離し、
前記第２の中間コネクタと係合するようになされた上部区画コネクタを有する
上部区画と、を有し、
ツールが組み立てられた構成にあるとき、前記中間区画が前記下部区画および前記上部区画に接合され、前記カートリッジの端面および前記ツールの前記上部区画の部分が集合的に容器の高さより大きい操作長を形成するように、前記ツールが大きさを持ちおよび構成された、
入れ子構成を想定するよう保持壁と着脱可能に係合可能であるディヒューザカートリッジ、および、基部、前記基部に連結された保持壁、および上縁部を有し、前記基部および前記上縁部が容器の高さを形成する液体収容容器と共に使用するようになされたツール。
【請求項２】
前記下部区画が、前記下部区画の前記第１の端部が前記ディヒューザカートリッジと係合されるとき、前記ディヒューザカートリッジの部分を受け入れるようになされた空洞を有する、請求項１に記載のツール。
【請求項３】
前記下部区画が、前記下部区画と前記ディヒューザカートリッジの間の係合を実現するよう、前記ディヒューザカートリッジの部分を受け入れるようになされた通路を有する、請求項１に記載のツール。
【請求項４】
前記通路が、軸方向区画および半径方向区画を有する、請求項３に記載のツール。
【請求項５】
前記上部区画が、前記上部区画コネクタの反対側の拡張端部を有し、前記拡張端部がユーザが把持可能であるような大きさを持ちおよび構成された、請求項１に記載のツール。
【請求項６】
前記ツールが、前記第１の端部が前記ディヒューザカートリッジに係合されるとき、前記ディヒューザカートリッジから伸び前記液体収容容器の前記上縁部を超える大きさを持ちおよび構成された、請求項１に記載のツール。
【請求項７】
前記下部区画、前記中間区画および前記上部区画が、プラスチック材質で形成された、
請求項１に記載のツール。
【請求項８】
前記中間区画、および前記上部区画および前記下部区画の部分がそれぞれ、互いに実質的に等しい外径を形成する、請求項１に記載のツール。
【請求項９】
ディヒューザカートリッジと選択的に係合可能であるようになされた第１の端部と、
ユーザが把持可能であるようになされた第２の端部と、を有する
細長形のツール本体を有し、
前記細長形のツール本体が、前記ディヒューザカートリッジが入れ子構成であるとき、前記第１の端部がディヒューザカートリッジと係合されるとき、前記ディヒューザカートリッジから伸び液体収容容器の上縁部を超える大きさを持ちおよび構成された、
入れ子構成を想定するよう保持壁と着脱可能に係合可能であるディヒューザカートリッジ、および、容器の高さを形成する基部および上縁部、および前記基部に連結された保持壁を有する、液体収容容器と共に使用するようになされたツール。
【請求項１０】
前記ツール本体が、互いに協同的に係合可能な複数の本体区画を有する、請求項９に記載のツール。
【請求項１１】
前記複数の本体区画が、前記複数の本体区画が互いに分離された離脱された構成と前記複数の本体区画が互いに連結した組み立てられた構成との間を選択的に移行する、請求項１０に記載のツール。
【請求項１２】
前記複数の本体区画のうちの近接した前記本体区画が、１つの前記本体区画の他の前記本体区画に対する相対回転により互いに係合されるようになされた、請求項１０に記載のツール。
【請求項１３】
前記複数の本体区画のうちの第１の前記本体区画が、その中に形成された通路を有し、前記複数の本体区画のうちの第２の前記本体区画が、前記複数の本体区画のうちの前記第１の本体区画を前記複数の本体区画のうちの前記第２の本体区画に係合するよう、前記通路内に受け入れられるようになされた突起を有する、請求項１０に記載のツール。
【請求項１４】
前記通路が、軸方向区画および半径方向区画を有する、請求項１３に記載のツール。
【請求項１５】
前記細長形のツール本体が、プラスチック材質で形成された、請求項９に記載のツール。
【請求項１６】
液体収容容器内の液体を処理するようになされ、前記液体収容容器の保持壁と選択的に係合可能なディヒューザカートリッジと、
前記ディヒューザカートリッジと選択的に係合可能であるようになされた第１の端部と、
ユーザが把持可能であるようになされた第２の端部とを有する
細長形のツール本体と、を有し、
前記細長形のツール本体が、前記第１の端部が前記ディヒューザカートリッジと係合されるとき、および前記ディヒューザカートリッジが保持壁と係合されるとき、前記ディヒューザカートリッジから伸び液体収容容器の上縁部を超える大きさを持ちおよび構成された、
基部、前記基部に連結された保持壁、および上縁部を有し、前記基部および前記上縁部が容器の高さを形成する液体収容容器と共に使用する構体。
【請求項１７】
前記ツール本体が、互いに協同的に係合可能な複数の本体区画を有する、請求項１６に記載の構体。
【請求項１８】
前記複数の本体区画が、前記複数の本体区画が互いに分離された離脱された構成と前記複数の本体区画が互いに連結した組み立てられた構成との
間を選択的に移行する、請求項１７に記載の構体。
【請求項１９】
前記複数の本体区画のうちの近接した前記本体区画が、１つの前記本体区画の他の前記本体区画に対する相対回転により互いに係合されるようになされた、請求項１７に記載の構体。
【請求項２０】
前記複数の本体区画のうちの第１の前記本体区画が、その中に形成された通路を有し、前記複数の本体区画のうちの第２の前記本体区画が、前記複数の本体区画のうちの前記第１の本体区画を前記複数の本体区画のうちの前記第２の本体区画に係合するよう、前記通路内に受け入れられるようになされた突起を有する、請求項１７に記載の構体。
【発明の詳細な説明】
【技術分野】
【０００１】
本出願は、２０１５年１２月１８日出願の米国仮出願第６２／２６９，５３４号の受益を主張し、その内容は明示的に参照により本明細書に組み込まれる。
合衆国政府の助成による研究または開発に関する陳述
不適用
【背景技術】
【０００２】
本開示は一般的に延長ツールに関し、より具体的にいうと、水のボトル内へのディヒューザカートリッジの挿入を容易にするようになされた細長形のツールに関する。
【０００３】
身体の水分補給は、持ち運び可能な飲料容器およびボトルのニーズを含む。プラスチックおよび使い捨ての水のボトルに関連する持続可能性および環境問題により、消費者はステンレス鋼の水のボトルのような再使用可能な容器に魅力を感じている。ステンレス鋼のボトルはまた、より健康的な容器の作成に関し、ＢＰＡ、鉛または他の有毒物質なしで形成可能である。また消費者は、アルカリ水のような処理された飲料の健康上の利点を認識してきた。この点で、アルカリ水のような液体の処理の簡易性と再使用可能な容器の利点を組み合わせるニーズが当業界に存在する。
【０００４】
アルカリ水は、身体の安定性を維持すること、および健康な個人および血液の酸性化を起こす状態を有する人達の両方で身体内の酸の増加の処理を補助することに関し、健康に有益であると理解されている。アルカリ水は、消化、酸性の中和を補助し、フリーラジカルの減少をも補助すると言われる。またほとんどの場合、アルカリ水は、より小さい水のクラスタと、身体が水をより容易に吸収するのを可能にすると確認された７．０を超えるｐＨの特性を有する。一般的にアルカリ水は、水電解により、および／またはミネラル剤による化学的処理を通して得られる。アルカリ水を生成する多くの先行技術の装置で、機器に関連して電気が使用されるか、またはそうでなければそのような装置は複雑な構造を有し、それは飲料を持ち運び可能な方法で処理する助けとならない。アルカリ水を生成する種類およびシステムの考察は、２００７年９月２７日公開のＣｈｕｎｇの米国公開第２００７／０２２１５５６号に記載され、その内容は参照により本明細書に組み込まれる。
【発明の概要】
【発明が解決しようとする課題】
【０００５】
先行技術の装置はまた、処理されていない水が薬品と接触してアルカリ水を形成するのを可能にするよう、液体容器内のミネラル剤の使用を開示する。しかしそのような先行技術の装置は、使いやすくなく、意図されるように容器内で固定を保てないかもしれない複数の構造を有し、またはそうでなければ容器内で望ましくない容積量を使用し、ミネラル剤周辺の水の流れを容易にしない。そのように、容器の機能的使用を取り過ぎず、ボトルの望ましくない容積量を使用しない、持ち運び可能な液体容器内で反応性薬剤を懸念なく使用するニーズが当業界に存在する。
【０００６】
さらに、多くの液体容器は、閉じられた端部、および液体容器の細い頸部において形成された開かれた端部を有する形状である。液体容器の細い構成は、ミネラル剤に関連する構造を液体容器内へ挿入するのを困難にする。よって、ミネラル剤を液体容器内へ挿入するのを容易にする装置のニーズもまた当業界で存在する。
【課題を解決するための手段】
【０００７】
詳細をさらに後述するように、本開示の種々の態様がこの特定のニーズに対処する。
【０００８】
本開示の１つの実施形態によると、ディヒューザカートリッジおよび液体容器と共に使用するようになされ、液体容器へおよび液体容器からのディヒューザカートリッジの挿入および除去を容易にするようになされたツールが提供される。ディヒューザカートリッジは、ミネラル剤ビーズまたは容器内に包含される液体の質を向上可能な他の素材を包含する。
【０００９】
１つの実施形態によると、ツールは、ディヒューザカートリッジ、および、基部、基部に連結された保持壁、および上縁部を有し、基部および上縁部が容器の高さを形成する液体収容容器と共に使用するようになされる。ディヒューザカートリッジは、入れ子構成を想定するよう保持壁と着脱可能に係合可能である。ツールは、ディヒューザカートリッジを補完する形状で、ディヒューザカートリッジと選択的に係合可能であるようになされた第１の端部と、下部区画コネクタを持つ第２の端部を有する下部区画を有する。ツールはさらに、下部区画から分離し、下部区画コネクタと係合するようになされた第１の中間コネクタと、第２の中間コネクタを有する中間区画を有する。ツールはまた、下部区画および中間区画から分離し、第２の中間コネクタと係合するようになされた上部区画コネクタを有する上部区画を有する。ツールが組み立てられた構成にあるとき、中間区画が下部区画および上部区画に接合され、ディヒューザカートリッジの端面およびツールの上部区画の部分が集合的に容器の高さより大きい操作長を形成するように、ツールが大きさを持ちおよび構成される。
【００１０】
下部区画は、下部区画の第１の端部がディヒューザカートリッジと係合されるとき、ディヒューザカートリッジの部分を受け入れるようになされた空洞を有してもよい。下部区画はまた、下部区画とディヒューザカートリッジの間の係合を実現するよう、ディヒューザカートリッジの部分を受け入れるようになされた通路を有してもよい。通路は、軸方向区画および半径方向区画を有してもよい。
【００１１】
上部区画は、上部区画コネクタの反対側の拡張端部を有し、拡張端部はユーザが把持可能であるような大きさを持ちおよび構成されてもよい。
【００１２】
ツールは、第１の端部がディヒューザカートリッジに係合されるとき、ディヒューザカートリッジから伸び液体収容容器の上縁部を超える大きさを持ちおよび構成されてもよい。
【００１３】
下部区画、中間区画および上部区画を、プラスチック材質で形成してもよい。 中間区画、および上部区画および下部区画の部分はそれぞれ、互いに実質的に等しい外径を形成してもよい。
【００１４】
ツールを複数の相互に連結可能な構成要素で形成してもよく、それは、接合されるとき、ユーザが液体容器にディヒューザカートリッジを挿入または取り除き、一方でユーザの手が容器の外側にあり続けることを可能にするのに十分な長さを形成する。そのように、ユーザは、そのような液体容器に一般的に関連する狭い開口部を通って彼または彼女の手を押し込む必要がない。ツールおよびその使用は、容器の下部に接近または開くメカニズムを有する必要なしに、ディヒューザを容器の下部に取り付けることを可能にする。液体容器に下部の開口を加えることは、製造コストを増し、とりわけ使用の複雑性を増す。またディヒューザを、例えば容器が完全にいっぱいでないときに液体がディヒューザと接触しない容器のふたに位置付けるのとは対照的に、ディヒューザを容器の下部に位置付けることは、ディヒューザの成分が液体と接する量を増やすのを助長する。
【００１５】
本開示は、添付の図と併せて読むとき、後述の詳細な記載を参照することにより最もよく理解される。
【００１６】
本明細書中に開示される種々の実施形態のこれらおよび他の機能および利点は、後述の記載および図に関連してよりよく理解される。
【図面の簡単な説明】
【００１７】
【図１】容器本体およびキャップを含む容器の上方斜視図である。
【図２】容器本体内に位置する保持壁内に入れ子状になるようになされたディヒューザカートリッジの上方の斜視の、部分的に切り取られた分解図である。
【図３】ディヒューザカートリッジの上方斜視図である。
【図４】ディヒューザカートリッジの下方斜視図である。
【図５】ディヒューザカートリッジが保持壁内に入れ子状になり、ディヒューザカートリッジ内のミネラルビーズを見せるように、ディヒューザカートリッジの一部を切り取った容器本体の下位部分の前方断面図である。
【図５Ａ】ディヒューザカートリッジが保持壁内に入れ子状になった、容器本体の下位部分およびディヒューザカートリッジの他の実施形態の前方断面図である。
【図５Ｂ】図５Ａで示された実施形態のそれぞれ部分的および完全な分解図である。
【図５Ｃ】図５Ａで示された実施形態のそれぞれ部分的および完全な分解図である。
【図６】容器へおよび容器からのディヒューザカートリッジの挿入および除去に適合されたツールの組み立てられた上方斜視図である。
【図７】図６に示されたツールの上方斜視分解図である。
【図８】ディヒューザカートリッジが容器本体と係合された、ディヒューザカートリッジに係合されたツールを示す一部を切り取った上方斜視図である。
【図９】ツールをディヒューザカートリッジに接合、およびツールを用いて容器からディヒューザカートリッジを取り除く一連を示す。
【図１０】ツールをディヒューザカートリッジに接合、およびツールを用いて容器からディヒューザカートリッジを取り除く一連を示す。
【図１１】ツールをディヒューザカートリッジに接合、およびツールを用いて容器からディヒューザカートリッジを取り除く一連を示す。
【図１２】ツールの１つの特定の実施形態の種々の図を示す。
【図１３】ツールの１つの特定の実施形態の種々の図を示す。
【図１４】ツールの１つの特定の実施形態の種々の図を示す。
【図１５】ツールの１つの特定の実施形態の種々の図を示す。
【図１６】ツールの１つの特定の実施形態の種々の図を示す。
【図１７】ツールの１つの特定の実施形態の種々の図を示す。
【図１８】ツールの１つの特定の実施形態の種々の図を示す。
【図１９】ツールの１つの特定の実施形態の種々の図を示す。
【図２０】ツールの１つの特定の実施形態の種々の図を示す。
【図２１】ツールの１つの特定の実施形態の種々の図を示す。
【図２２】ツールの１つの特定の実施形態の種々の図を示す。
【図２３】ツールの１つの特定の実施形態の種々の図を示す。
【発明を実施するための形態】
【００１８】
同一の構成要素を示すのに、共通の参照番号を図および詳細な記載を通して使用する。
【００１９】
添付の図と関連して後述する詳細な記載は、水のボトルのような液体保持容器内へディヒューザカートリッジを挿入するツールのある実施形態の記載として意図され、開発または利用しうる唯一の形態を示すことを意図するものではない。記載は示された実施形態と関連して種々の構造および／または機能を説明するが、しかし同一または均等の構造および／または機能が異なる実施形態により達成されるかもしれず、それもまた本開示の範囲内に包含されることが意図されるのを理解すべきである。第１および第２などのような関係を示す語の使用は、そのような物の間のあらゆる実際のそのような関係または順序を必ずしも必要とするまたは暗示することなく、単に１つの物を他から区別するために使用されることがさらに理解される。
【００２０】
ここで図１〜図５を参照すると、容器本体１２、および容器本体１２に作動可能に係合可能なキャップ１４を有する液体収容容器（例えばボトル）１０が示されている。容器本体１２は細長形のステンレス鋼の側壁１６および基部１８から形成され、側壁１８はキャップ１４と結合するようになされた頸部２０において先細になっている。頸部２０は上縁部２１において終了し、容器本体１２は基部１８と上縁部２１の間の距離に等しい第１の高さＨ１（図８参照）を有する。ユーザは、頸部２０においてキャップ１４を容器本体１２に固定することにより、容器１０を選択的に開閉可能である。容器１０を閉めるためキャップ１４を容器本体１４に取り付けるとき、流体密の形成を補助するよう、キャップ１４上にＯリングを採用してもよい。
【００２１】
側壁１６が中心軸２２の周囲に配置され、頸部２０は、液体が容器本体１２から挿入または引き出し可能で、容器本体１２から直接飲むのを助長するのに十分に広い開口部を提供する。側壁１６の一部を、そのグリップ性の強化のため、把持パッドで覆ってもよい。側壁１６は１つの壁または二重の壁であってもよいと考えられ、二重の壁の構成は容器本体１２の断熱特性の強化のため採用される。これらの線に沿って、二重の壁の間に断熱材または断熱物質を配置してもよい。
【００２２】
ディヒューザカートリッジ２４は、基部１８に着脱可能に付着可能／係合可能であり、容器本体１２内に包含される液体と相互作用および処理可能なミネラル剤のビーズ２６（図５参照）または他の物質を有するようになされる。ミネラル剤のビーズ２６は、カートリッジ２４から容器本体１２の空間内に漏れ出さないように、カートリッジ２４内に固定される。例示的なカートリッジ２４は円筒状の形状であるが、カートリッジ２４は球形の形状、立方体の形状またはあらゆる他の形状を含むが、それらに限定されない他の形状をとってもよいことを、当業者は容易に理解するだろう。
【００２３】
カートリッジ２４は、その中に形成された複数の穿孔２８を有し、ミネラルビーズ２６をカートリッジ２４内に保持し、一方で同時にビーズ２６が容器本体１２内に包含される水／液体内に浸かることを可能にするように、穿孔２８はミネラルビーズ２６に対応する大きさである。図に示される穿孔２８は行と列の形で配置されるが、穿孔２８をあらゆる配列またはパターンでカートリッジ２４上に形成してもよい。図に示されるカートリッジ２４は２つの部分の構体で、上位本体２５、および上位本体２５と係合する下位本体２７を有する。カートリッジ２４の２つの部分の構造は、カートリッジ２４の製造中に濾過ビーズ２６の挿入を容易にする。下位本体２７は、その中に形成された穿孔を有する端部壁、および端部壁から伸び、上位本体２５と係合する環状壁を有する。上位本体２５は下位本体２７を受け入れる開放端部を有し、上位本体２５は下位本体２７と係合し下位本体２７を保持するように、開放端部近辺でわずかに減少した直径を有する。例示的なカートリッジ上に形成された穿孔２８は、上位本体２５および下位本体２７の両方に形成される。１つの実施形態によると、カートリッジ２４は、望ましくは０．５〜２．０インチの間、より望ましくはおよそ１．１２５インチに等しい外径を形成する。さらにカートリッジ２４の高さは、望ましくは１．０〜３．０インチの間であり、より望ましくはおよそ１．６８７５インチに等しい。
【００２４】
カートリッジ２４は保持壁３０と係合するように適応され、保持壁３０は保持空洞３２周辺を伸び、容器１０の基部１８に連結される。保持壁３０および対応する保持空洞３２は形状においてカートリッジ２４を補完し、カートリッジ２４が保持空洞３２内に選択的に入れ子状にされ、カートリッジ２４と係合され、カートリッジ２４が容器本体１２に付着するのを可能にする。ユーザが容器本体１２内に包含される水を飲むためそれを繰り返し傾けるときにカートリッジ２４を入れ子の位置に保つように、カートリッジ２４が保持空洞３２内に入れ子状にされるとき、カートリッジ２４および保持壁３０は、互いに充分に係合されるようになるよう構成される。この点で、カートリッジ２４および保持壁３０を、摩擦のしまりばめ、スプリングタイプのタブ３３、固定縁などによりそのような係合を生むように適応してもよい。
【００２５】
図５は容器１０の低位部分の断面図であり、雨壁３０と係合されたカートリッジ２４を示す。図５で示される実施形態で、保持壁３０は環状部３１および底部プレート３５を有し、環状部３１は底部プレート３５から上方に伸びる。底部プレート３５は、直接の平坦な係合で容器本体１２の基部１８に接合される。すなわち、底部プレート３５の底部平面表面が基部１８の平面表面に対して対向して取り付けられる。底部プレート３５を、溶接、接着、または当業者に公知の他の機械的結合技術により基部１８に装着してもよい。
【００２６】
ここで図５Ａ〜図５Ｃを参照すると、容器１１０の下位部分の別の実施形態が示される。容器本体１１２が、図５で示される基部１８とわずかに異なる基部１１８を有して示される。特に基部１１８は、側壁１１６との曲線的な移行部を有するが、図５で示される実施形態では基部１８と側壁１６との間の移行部は直角である。
【００２７】
容器１１０はさらに、環状部１３１および底部区画１３５を含む保持壁１３０を有する。底部区画１３５は底部プレート１３９から伸びる複数の小隆起または突起１３７を有し、小隆起／突起１３７は、それに基部１１８がスポット溶接または別の方法で連結されうる構造を提供する。この点で、底部区画１３５の全体は基部１８と平坦な係合ではなく、実際に小隆起／突起１３７が基部１１８に連結されるとき、底部プレート１３９を基部１１８から離間してもよい。
【００２８】
容器１１０はさらに、前述のカートリッジ２４とわずかに異なるカートリッジ１２４を有する。特にカートリッジ１２４は、上位本体１２５および下位本体１２７を有する。図５に示されたカートリッジ２４に対する図５Ａ〜図５Ｃに示されたカートリッジ１２４の主要な差異は、下位本体１２７が下位本体２７に対して反転していることである。特に、下位本体１２７は上位本体１２５内に位置する端部壁１２９を有し、下位本体１２７は、下位本体１２７が上位本体１２５に係合されるとき、端部壁１２９から上位本体１２５の開放端部に近接する上位本体１２５の末端縁部へ伸びる環状壁１３３を有する。上位本体１２５と下位本体１２７の間のそのような係合を、押下装着の係合、または接着剤、留め具などを含むがそれらに限定されない他の機械的固定機構の使用を通して容易にしてもよい。
【００２９】
容器本体およびディヒューザカートリッジの構造に関連するより多くの情報に関しては、米国特許出願公開第２０１４／０３６７３１８号、”Ｆｌｕｉｄ  Ｃｏｎｔａｉｎｅｒ  ｗｉｔｈ  Ｉｎｔｅｒｎａｌ  Ｐｅｒｆｏｒａｔｅｄ  Ｃｏｍｐａｒｔｍｅｎｔ”を参照されたく、この内容は明示的に参照により本明細書に組み込まれる。後述の説明は、図６〜図２３に示される、ディヒューザカートリッジ２４を容器本体１２内へ挿入し、その後容器本体１２からディヒューザカートリッジ２４を取り除くため特に構成されたツール３４の構造および使用に焦点を当てる。さらに、後述の説明はディヒューザカートリッジ２４に言及するが、この説明がディヒューザカートリッジ１２４および対応する容器１１０にも同様にあてはまることを当業者は容易に理解するだろう。
【００３０】
１つの実施形態によると、ツール３４は細長形であり、下部構成要素３６、中間構成要素３８、および上部構成要素４０を含む複数の分離したツール構成要素から形成される。容器本体１２へディヒューザカートリッジ２４を挿入、または容器本体１２から取り除くよう個人がツール３４を手動で操作または保持するように、ツール３４は構成され、ツール３４は、挿入または除去処理中に個人の手が容器本体１２の外側にあり続けることを可能にするよう構成される。この点で、ツール３４およびディヒューザカートリッジ２４は集合的に高さＨ２を形成し、これは容器本体１２の高さＨ１より高く、これが、ツール３４がディヒューザカートリッジ２４と係合され、ディヒューザカートリッジ２４が保持空洞３２内で入れ子状であるとき、ツールの部分が容器本体１２の上縁部２１を越えて伸びることを可能にする。
【００３１】
下部構成要素３６は、ディヒューザカートリッジ２４と結合するようになされた第１の端部４２、および中間構成要素３８と結合するようになされた第２の端部４４を有する。第１の端部４２は、空洞の周辺に配置された円筒状の壁を有し、円筒状の壁は末端部４６において終了する。空洞はディヒューザカートリッジ２４を受け入れるようになされ、円筒状の壁の内径はディヒューザカートリッジ２４の外径よりわずかに大きい。一対の直径方向に対向した切り欠き４８が末端部４６から円筒状の壁内へ伸び、それぞれの切り欠きは軸方向区画５０および半径方向区画５２を有する。軸方向区画５０は末端部４６から伸び、半径方向区画５２は末端部４６から離間される。切り欠き４８の大きさは、ディヒューザカートリッジ２４上に形成された、一対の直径方向に対向した小隆起または突起５４に対応する。特に、それぞれの小隆起５４がそれぞれの切り欠き４８内に受け入れられ、下部構成要素３６をディヒューザカートリッジ２４に作動可能に連結するように、切り欠き４８は構成される。
【００３２】
第２の端部４４は中間の細長形の区画５６を介して第１の端部４２に接合され、第１の端部４２の円筒状の壁より小さい直径を有する。第２の端部４４は、中間の細長形の区画５６の直径より小さい外径を持つオスコネクタ壁５８を有する。一対の直径方向に対向した固定タブ６０が、オスコネクタ壁５８から半径方向に外側に伸びる。１つの実施形態によると、それぞれの固定タブ６０は、中間の細長形の区画５６の直径とオスコネクタ壁５８の直径の間の差の半分に等しい距離で、半径方向に外側に伸びる。
【００３３】
中間構成要素３８は、第１の端部６２および第２の端部６４、およびそれらの間に配置された中間区画６６を有する。第１の端部６２は下部構成要素３６と結合するようになされ、第２の端部６４は上部構成要素４０と結合するようになされる。例示的な実施形態で、第１の端部６２は下部構成要素３６のオスタイプのコネクタと係合するようになされたメスタイプのコネクタを形成し、一方で第２の端部６４は、上部構成要素４０のメスタイプのコネクタと係合するようになされたオスタイプのコネクタを形成する。
【００３４】
第１の端部６２は、末端部７０から円筒状の壁内へ伸びる一対の直径方向に対向した切り欠き６８を持つ円筒状の壁を形成する。それぞれの切り欠き６８は、軸方向区画および半径方向区画を有する。切り欠き６８は、下部構成要素３６を中間構成要素３８に連結するため、下部構成要素３６の固定タブ６０がその中を伸びるのを可能にする大きさであり、およびそのように構成される。
【００３５】
第１の端部６２の円筒状の壁は中間区画６６へ移行し、円筒状の壁の外径は中間区画６６の外径と同一である。
【００３６】
第２の端部６４は、中間の細長形の区画６６の直径より小さい外径を持つオスコネクタ壁７２を有する。一対の直径方向に対向した固定タブ７４が、オスコネクタ壁７２から半径方向に外側に伸びる。１つの実施形態によると、それぞれの固定タブ７４は、中間の細長形の区画６６の直径とオスコネクタ壁７２の直径の間の差の半分に等しい距離で、半径方向に外側に伸びる。
【００３７】
上部構成要素４０は、第１の端部７６および第２の端部７８を有する。第１の端部７６は、末端部８２から円筒状の壁内へ伸びる一対の直径方向に対向した切り欠き８０を持つ円筒状の壁を形成する。それぞれの切り欠き８０は、軸方向区画および半径方向区画を有する。切り欠き８０は、中間構成要素３８を上部構成要素４０に連結するため、中間構成要素３８の固定タブ７４がその中を伸びるのを可能にする大きさであり、およびそのように構成される。
【００３８】
円筒状の壁は第２の端部７８内へ移行し、第２の端部７８は外側へ先細状の壁を有し、人間工学的に把持しやすい部分を提供する。
【００３９】
前述のツール３４の基本構造とともに、後述の説明はツール３４の例示的な使用に焦点を当てる。ディヒューザカートリッジ２４を容器本体１２内へ挿入するため、ユーザはまず、中間構成要素３８の第１の端部６２を下部構成要素３６へ、および中間構成要素３８の第２の端部６４を上部構成要素４０へ接合することにより、ツール３４を組み立てるであろう。ツール３４が組み立てられると、ユーザは、下部構成要素３６上に形成された切り欠き４８をディヒューザカートリッジ２４上に形成された小隆起５４と整列することにより、ディヒューザカートリッジ２４をツール３４に取り付ける。ユーザはそれからカートリッジ２４上でツール３４を前進させ、それが小隆起５４を対応する切り欠き４８の軸方向区画５０を通過させる。ユーザはそれからツール３４を第１の方向に回転し、小隆起５４が対応する切り欠き４８の半径方向区画５２を通過するのを可能にする。小隆起５４が軸方向区画５０および半径方向区画５４の両方を通過すると、ディヒューザカートリッジ２４がツール３４に装着される。
【００４０】
それから、ツール３４を上部構成要素４０において保持し、ディヒューザカートリッジ２４およびツール３４の下部構成要素３６を容器本体１２の開口部と整列することにより、ディヒューザカートリッジ２４が容器本体１２内へ挿入される。ユーザは、ディヒューザカートリッジ２４が保持壁３０に到達するまで、ツール／カートリッジ構体を容器本体１２内へ下げる。ディヒューザカートリッジ２４が保持壁３０と整列するとき、ユーザはディヒューザカートリッジ２４が保持空洞３２内で入れ子状態になるまで、その中にツール３４を圧迫する／押す。ディヒューザカートリッジ２４が保持空洞３２内で固定される／入れ子状態になると、ユーザはツール３４を第１の方向と反対方向の第２の方向に回転し、それが小隆起５４が下部構成要素３６内に形成された切り欠き４８の半径方向区画５２を通って後退する状態を起こす。ユーザはそれからツール３４を上げ、それが小隆起５４が軸方向区画５０を通って後退する状態を起こし、それが最終的にツール３４がディヒューザカートリッジ２４から離脱するのを可能にする。ツール３４はそれから容器本体１２から完全に取り除かれ、ユーザは容器本体１２の使用を続けてもよく、ディヒューザカートリッジ２４はその中に固定される。
【００４１】
ディヒューザカートリッジ２４を取り除くのに、ツール３４が分解されている場合、ユーザは前述のように再度ツール３４を組み立てる。組み立てられたツール３４はそれから、下部構成要素３６がディヒューザカートリッジ２４に到達するまで、容器本体１２内へ挿入される。ユーザはそれからツール３４を回転し、切り欠き４８を小隆起５４と整列させる。小隆起５４が整列すると、ユーザは押し下げ小隆起５４が軸方向区画５０を通るのを可能にし、それからツール３４を第１の方向に回転し、小隆起５４が半径方向区画５２を通るのを可能にし、最終的にツール３４をディヒューザカートリッジ２４に固定する。ユーザはそれから容器本体１２を片手で保持して、ツール３４を引き寄せ、ディヒューザカートリッジ２４を保持壁３０へ拘束する係合力を解消し、それによってディヒューザカートリッジ２４を保持壁３０から解放する。ユーザはそれから、ツール３４およびディヒューザカートリッジ２４が容器本体１２から完全に取り除かれるまで、容器本体１２からツール／カートリッジ構体を引く。
【００４２】
本明細書で示された詳細は、例示の説明の目的の例としてのみであり、最も有用で本開示の種々の実施形態の原理および概念的な態様の記載を容易に理解すると思われるものを提供するために示してはいない。この点で、種々の実施形態の様々な機能の基本的理解に必要である以上の詳細を示す試みはされておらず、図とともに挙げられた記載は、これらを実際にどのように実施しうるかを当業者に明らかにする。
【図１】
2019507026.tif 000003
【図２】
2019507026.tif 000004
【図３】
2019507026.tif 000005
【図４】
2019507026.tif 000006
【図５】
2019507026.tif 000007
【図５Ａ】
2019507026.tif 000008
【図５Ｂ】
2019507026.tif 000009
【図５Ｃ】
2019507026.tif 000010
【図６】
2019507026.tif 000011
【図７】
2019507026.tif 000012
【図８】
2019507026.tif 000013
【図９】
2019507026.tif 000014
【図１０】
2019507026.tif 000015
【図１１】
2019507026.tif 000016
【図１２】
2019507026.tif 000017
【図１３】
2019507026.tif 000018
【図１４】
2019507026.tif 000019
【図１５】
2019507026.tif 000020
【図１６】
2019507026.tif 000021
【図１７】
2019507026.tif 000022
【図１８】
2019507026.tif 000023
【図１９】
2019507026.tif 000024
【図２０】
2019507026.tif 000025
【図２１】
2019507026.tif 000026
【図２２】
2019507026.tif 000027
【図２３】
2019507026.tif 000028
【国際調査報告】
2019507026.tif 000029